(57)【要約】【課題】  自動再生モードにおけるコンテンツの切り換わり時に違和感のない画面遷移を実現すること。【解決手段】  複数のコンテンツ情報と再生に関するメニュー情報とが記録されたＤＶＤから情報を読み出し、読み出したコンテンツ情報とメニュー情報とを画像で表示するＤＶＤ再生装置において、  操作部材によりメニュー情報の複数のメニューの中から予め初期値として設定されたメニューを自動的に選択しながらコンテンツ情報を再生する自動再生モードが選択されているときにメニュー情報が読み出された場合は、そのメニュー情報を表示せずに、そのメニュー情報に予め初期値として設定されたコンテンツ情報の再生を継続する。【選択図】      図３
2005302104.tif 000002
【特許請求の範囲】
【請求項１】
複数のコンテンツ情報とメニュー情報とが記録されたデジタル多用途ディスク（以下、「ＤＶＤ」と記す）から情報を読み出す情報読出手段と、
前記情報読出手段により読み出された前記コンテンツ情報と前記メニュー情報とを画像で表示する表示手段とを備えたＤＶＤ再生装置において、
前記メニュー情報の複数のメニューの中からいずれかのメニューを手動で選択しながら前記コンテンツ情報を再生する手動再生モードと、前記メニュー情報の複数のメニューの中から予め初期値として設定されたメニューを自動的に選択しながら前記コンテンツ情報を再生する自動再生モードとを選択するための操作部材と、
前記操作部材により前記自動再生モードが選択されているときに前記情報読出手段で前記メニュー情報が読み出された場合は、当該メニュー情報を前記表示手段に表示せずに、当該メニュー情報に予め初期値として設定された前記コンテンツ情報の再生を行う再生制御手段とを備えることを特徴とするＤＶＤ再生装置。
【請求項２】
請求項１に記載のＤＶＤ再生装置において、
前記再生制御手段は、前記操作部材により前記自動再生モードが選択されているときに前記情報読出手段で前記メニュー情報が読み出された場合は、当該メニュー情報の代わりにメニューの自動選択中を示すメッセージを前記表示手段に表示することを特徴とするＤＶＤ再生装置。
【請求項３】
請求項１に記載のＤＶＤ再生装置において、
前記再生制御手段は、前記操作部材により前記自動再生モードが選択されているときに前記情報読出手段で前記メニュー情報が読み出された場合は、当該メニュー情報の代わりにメニュー情報の表示を省略するメッセージを前記表示手段に表示することを特徴とするＤＶＤ再生装置。
【請求項４】
請求項２または３に記載のＤＶＤ再生装置において、
前記ＤＶＤに記憶された音声を出力する音声出力手段をさらに備え、
前記再生制御手段は、前記メニューの自動選択中を示すメッセージ、または前記メニュー情報の表示を省略するメッセージを前記表示手段に表示している間、前記音声出力手段による音声出力を停止するか、または音声出力を低減することを特徴とするＤＶＤ再生装置。
【請求項５】
請求項１〜４のいずれか一項に記載のＤＶＤ再生装置を搭載した車両であって、
車速を検出する車速検出手段と、
前記車速検出手段により検出された車速に基づいて車両が走行中か否かを判定する走行中判定手段とを備え、
前記再生制御手段は、前記走行中判定手段により車両が走行中であると判定されたときは、前記メニュー情報、および前記コンテンツ情報の前記表示手段への表示を停止することを特徴とするＤＶＤ再生装置を搭載した車両。
【請求項６】
複数のコンテンツ情報とメニュー情報とが記録されたＤＶＤから情報を読み出し、読み出した前記コンテンツ情報と前記メニュー情報とを画像で表示するＤＶＤ再生方法において、
前記メニュー情報の複数のメニューの中からいずれかのメニューを手動で選択しながら前記コンテンツ情報を再生する手動再生モードと、前記メニュー情報の複数のメニューの中から予め初期値として設定されたメニューを自動的に選択しながら前記コンテンツ情報を再生する自動再生モードとを有し、
操作部材により前記自動再生モードが選択されているときに前記メニュー情報が読み出された場合は、当該メニュー情報を表示せずに、当該メニュー情報に予め初期値として設定された前記コンテンツ情報の再生を行うことを特徴とするＤＶＤ再生方法。
【発明の詳細な説明】
【技術分野】
【０００１】
本発明は、デジタル多用途ディスク（ＤＶＤ）に記録されたメニュー画面をスキップしてコンテンツを自動再生するＤＶＤ再生装置、ＤＶＤ再生方法、およびＤＶＤ再生装置を搭載した車両に関する。
【背景技術】
【０００２】
複数のコンテンツ情報が記録されたＤＶＤを再生中にコンテンツの選択メニューが再生されたときは、予め初期値として設定されているメニューに対応するコンテンツを自動的に選択し、再生を継続するようにしたＤＶＤ再生装置が知られている（例えば、特許文献１参照）。
【０００３】
【特許文献１】特開２００２−２４７４９９号公報
【発明の開示】
【発明が解決しようとする課題】
【０００４】
しかしながら、上述した従来のＤＶＤ再生装置では、予め初期値として設定されたコンテンツの再生を自動的に開始する前に、一時的にもメニュー画面が表示されることになり、使用者に違和感を与えている。
【課題を解決するための手段】
【０００５】
本発明は、複数のコンテンツ情報とメニュー情報とが記録されたＤＶＤから情報を読み出し、読み出した前記コンテンツ情報と前記メニュー情報とを画像で表示するＤＶＤ再生方法において、メニュー情報の複数のメニューの中からいずれかのメニューを手動で選択しながらコンテンツ情報を再生する手動再生モードと、メニュー情報の複数のメニューの中から予め初期値として設定されたメニューを自動的に選択しながらコンテンツ情報を再生する自動再生モードとを有し、操作部材により自動再生モードが選択されているときにメニュー情報が読み出された場合は、当該メニュー情報を表示せずに、当該メニュー情報に予め初期値として設定されたコンテンツ情報の再生を行うことを特徴とする。
【発明の効果】
【０００６】
本発明によれば、自動再生モードにおいてコンテンツの切り換わり時にメニュー画面を表示しないため、一時的にメニュー画面が表示されて使用者に違和感を与えることが避けられる。
【発明を実施するための最良の形態】
【０００７】
―第１の実施の形態―
図１は、第１の実施の形態におけるＤＶＤ再生装置の一実施の形態の構成を示すブロック図である。ＤＶＤ再生装置１００は、ＤＶＤに格納されたコンテンツ映像を表示するモニタ１０１と、ＤＶＤに格納された音声を出力するスピーカー１０２と、使用者によって操作される操作スイッチ１０３と、装填されたＤＶＤからデータを読み込むディスクドライブ１０４と、制御装置１０５とを備えている。
【０００８】
制御装置１０５は、ＣＰＵ１０５ａとメモリ１０５ｂなどの周辺部品を備え、ＤＶＤを再生した際に表示されるトップメニュー画面の遷移を図２に示すように制御する。図２（ａ）は、特開２００２−２４７４９９号公報に開示されている従来のＤＶＤ再生装置において、メニュー上の現在ハイライトされているメニューボタンに対応するボタンコマンドを自動的に実行して再生を継続する場合のメニュー画面の遷移を示す。従来のＤＶＤ再生装置では、新たなＤＶＤがディスクドライブ１０４に装填された場合、あるいは使用者によって再生指示がなされた場合にＤＶＤに格納されたデータが読み込まれ、多くのＤＶＤではコマーシャル映像４１が自動的に再生される。
【０００９】
その後、トップメニュー画面４２が表示され、次いでメニューボタンの一部が点滅あるいは高輝度となりハイライトされるハイライト画面４３が表示される。ここではハイライト画面４３に示すように「本編再生」メニューがハイライトされているとすると、「本編再生」が自動的に選択され、この「本編再生」に対応するボタンコマンドが自動的に実行される。なお、初期値としてハイライトされているメニューボタンは、メニューの一番上のメニューボタンであることが一般的である。これによって、使用者が操作を行わなくても初期値としてハイライトされているメニューボタンに対応するコンテンツ本編が自動的に再生され、コンテンツ本編画面４４が表示される。
【００１０】
以上、説明した従来のＤＶＤ再生装置における画面遷移においては、コマーシャル映像４１を表示してから、コンテンツ本編画面４４が表示されるまでの間に、トップメニュー画面４２、およびハイライト画面４３が一時的に表示される。このように短時間の間に画面が切り替わることによって、使用者にとっては画面のちらつきが発生したように見えることから、使用者が違和感を感じる画面遷移となる。また、使用者が故障と勘違いする可能性もある。
【００１１】
これに対し、一実施の形態のＤＶＤ再生装置１００では、以下に説明するように再生モードとして自動再生モードと手動再生モードとを有する。なお、再生モードは操作スイッチ１０３によりあらかじめ使用者が設定する。
【００１２】
（１）自動再生モード
自動再生モードが設定された場合には、図２（ｂ）に示すように画面遷移する。すなわち、新たなＤＶＤがディスクドライブ１０４に装填されるか、もしくは使用者によって再生の指示がなされると、ディスクに記録された情報が読み込まれ、コマーシャル映像４１が表示される。その後、メニュー画面に相当するメニューボタンのうち、初期値としてハイライトされているメニューボタンが自動的に選択され実行される。
【００１３】
選択されたメニューボタンに対応するボタンコマンドの実行が完了するまでの間は、ディスクドライブ１０４によりＤＶＤからメニュー情報が読み出されても、モニタ１０１にトップメニュー画面４２、およびハイライト画面４３を表示せずにスキップ画面４５を表示する。スキップ画面４５は、メニュー画面の表示を省略していることを使用者に提示するための画面であり、例えば「メニューをスキップしています。」のようにメッセージを表示する。また、モニタ１０１にスキップ画面４５を表示している間は、スピーカー１０２から出力する音声を消す。その後、初期値としてハイライトされているメニューボタンに対応するコンテンツ本編が自動的に再生されると、コンテンツ本編画面４４を表示し、音声の大きさを元に戻す。
【００１４】
（２）手動再生モード
手動再生モードが設定された場合には、モニタ１０１にトップメニュー画面４２、およびハイライト画面４３を表示する。ハイライト画面４３を表示したまま、使用者によっていずれかのメニューボタンが選択されるまで待機する。そして、使用者によっていずれかのメニューボタンが選択されると、選択されたメニューボタンに対応するコンテンツ本編を再生して、コンテンツ本編画面４４を表示する。
【００１５】
このように、自動再生モードが設定された場合には、従来のようなトップメニュー画面４２、およびハイライト画面４３を表示せずに、代わりにスキップ画面４５を表示して使用者にメニュー画面の表示を省略する旨のメッセージを表示するようにしたので、コンテンツ再生の自動継続の際に使用者に違和感を与えることなく、自然な画面遷移とすることができる。さらに、メニュー表示の省略を使用者に報知して安心感を与えることができる。また、モニタ１０１にスキップ画面４５を表示している間は、スピーカー１０２から出力する音声を消すようにしたので、トップメニュー画面４２、およびハイライト画面４３の表示中に音楽や音声が再生されるＤＶＤに対しても、メニュー画面をスキップすることによって生じる不自然な音楽や音声の切り替わりを防止することができる。
【００１６】
図３は、第１の実施の形態のＤＶＤ再生装置の動作を示すフローチャートである。新しいＤＶＤがディスクドライブ１０４に装填されるか、あるいは使用者によってＤＶＤの再生指示がなされると、制御装置１０５は図３に示す処理を開始する。まず、ステップＳ１０〜ステップＳ３０においてＤＶＤ再生の準備処理を実行する。
【００１７】
ステップＳ１０では操作スイッチ１０３により使用者が設定した再生モードを読み込む。ステップＳ２０において、ＤＶＤのボリューム管理情報領域（不図示）に記録されているボリューム管理情報を読み込んでメモリ１０５ｂに格納する。続くステップＳ３０では、読み込んだボリューム管理情報に含まれているストーリ情報を取得する。ステップＳ４０において、ＤＶＤのＤＶＤビデオ領域（不図示）からデータを読み込み、ストーリ情報に基づいてＤＶＤの再生を開始する。再生開始後のステップＳ５０で、メモリ１０５ｂに格納されたボリューム管理情報に基づいてトップメニュー画面４２が再生されるか否かを判断する。
【００１８】
トップメニュー画面４２が再生されると判断した場合はステップＳ６０へ進み、ハイライト画面４３で選択されているメニューボタン、すなわち初期値としてハイライトされているメニューボタンに関するハイライト情報をＤＶＤのＤＶＤビデオ領域から取得する。ステップＳ７０において、自動再生モードが選択されているか否かを判断し、再生モードが自動再生モードのときはステップＳ８０へ進む。
【００１９】
ステップＳ８０において、モニタ１０１にトップメニュー画面４２、およびハイライト画面４３の代わりにスキップ画面４５を表示し、スピーカー１０２から出力する音声を消す。これにより、トップメニュー画面４２、およびハイライト画面４３のスキップ中は、使用者に違和感を与えるような画面遷移を防止しながら、使用者にトップメニュー画面４２、およびハイライト画面４３をスキップ中であることを伝えて安心感を与えるとともに、不要な音声を消去することができる。ステップＳ９０において、ハイライト情報からハイライトされているメニューボタンに対応するボタンコマンドを取得し、自動的に発行する。
【００２０】
ステップＳ１００において、ボタンコマンドを実行して当該メニューボタンに対応するコンテンツ本編の再生を開始する。同時に、ステップＳ１１０でモニタ１０１からスキップ画面４５を消去し、音声を元の大きさに戻す。これにより、モニタ１０１にコンテンツ本編画面４４が表示され、スピーカー１０２からコンテンツ本編の音声が出力される。
【００２１】
一方、再生モードが手動再生モードのときはステップＳ１３０へ進む。手動再生モードではトップメニュー画面４２、およびハイライト画面４３はスキップされず、モニタ１０１に表示される。使用者は、モニタ１０１に表示されるハイライト画面４３を見て実行したいメニューボタンを選択する必要がある。ステップＳ１３０で使用者によってメニューボタンが選択されるとステップＳ１４０へ進む。
【００２２】
ステップＳ１４０において、使用者が選択したメニューボタンに対応するハイライト情報から、ボタンコマンドを取得して発行する。続くステップＳ１５０ではボタンコマンドを実行して当該メニューボタンに対応するコンテンツ本編を再生する。これにより、モニタ１０１にコンテンツ本編画面４４が表示され、スピーカー１０２からコンテンツ本編の音声が出力される。
【００２３】
ステップＳ１２０において、現在ディスクドライブ１０４によって読み込まれているデータがＤＶＤのリードアウトエリアに格納されたデータであるか否かが判断される。現在読み込まれているデータがリードアウトエリアに格納されたデータでない場合は、まだＤＶＤの再生中であることを意味し、ステップＳ５０へ戻って上述した処理を繰り返す。一方、現在読み込まれているデータがリードアウトエリアに格納されたデータである場合は、ＤＶＤに格納されたデータの終わりまで再生が完了したと判断して処理を終了する。
【００２４】
以上、説明したように第１の実施の形態によれば、次のような作用効果を得ることができる。
（１）自動再生モードにおいて、ＤＶＤからトップメニュー画面４２、およびハイライト画面４３のデータが読み出されても表示せずにスキップし、スキップ中はスキップ画面４５を表示して音声を消すことにした。これにより、自動再生中であるにもかかわらず不要なトップメニュー画面４２、およびハイライト画面４３が表示されて画面がちらつくのを防ぐことができ、違和感のない自然な画面遷移にすることができる。さらに、メニュー画面４２、およびハイライト画面４３スキップ中の不自然な音楽や音声の切り替わりを防止することができる。
（２）メニュー画面４２、およびハイライト画面４３のスキップ中に表示するスキップ画面４５には、現在はメニュースキップ中であることを使用者に案内するメッセージを表示することとした。これにより、使用者はメニュースキップ中であることを把握でき、安心感を得る。
【００２５】
―第２の実施の形態―
第１の実施の形態で説明したＤＶＤ再生装置１００を車両に搭載した第２の実施の形態を説明する。図４は、第２の実施の形態におけるＤＶＤ再生装置を搭載した車両の一実施の形態の構成を示すブロック図である。なお、図４において、図１に示す第１の実施の形態と同様な機器に対しては同一の符号を付与して相違点を中心に説明する。
【００２６】
ＤＶＤ再生装置１００を搭載した車両は、自車両の車速を検出する車速センサ２０１を備えている。制御装置１０５は、車速センサ２０１で検出された車速が所定値以上のときはモニタ１０１にＤＶＤの再生映像を表示せず、「走行中規制画面」を表示する。なお、上記車速の所定値には、自車両が走行中であるか否かを判断するための基準値、例えば５ｋｍ／ｈを設定する。また、走行中規制画面には、例えば「走行中はＤＶＤ映像を表示しません」のようなメッセージを表示する。
【００２７】
図５は、第２の実施の形態のＤＶＤ再生装置１００の動作を示すフローチャートである。新しいＤＶＤがディスクドライブ１０４に装填されるか、あるいは使用者によってＤＶＤの再生指示がなされると、制御装置１０５は図５に示す処理を開始する。
【００２８】
ステップＳ２１０〜ステップＳ２６０において、第１の実施の形態における図３のステップＳ１０〜ステップＳ６０と同様の処理を実行する。ステップＳ２７０において、車速センサ２０１による車速検出値に基づいて自車両が走行中か否かを判断する。自車両が走行中でないと判断した場合はステップＳ２８０へ進む。
【００２９】
ステップＳ２８０において、現在モニタ１０１に上述した走行中規制画面を表示している場合には走行中規制画面を消去し、モニタ１０１にＤＶＤの再生映像を表示する。その後、ステップＳ２９０〜ステップＳ３６０において、第１の実施の形態における図３のステップＳ７０〜ステップＳ１５０と同様の処理を実行する。
【００３０】
一方、自車両が走行中であると判断した場合にはステップＳ３７０へ進む。ステップＳ３７０において、モニタ１０１に走行中規制画面を表示する。これにより、運転者がＤＶＤ映像に気を取られて運転に集中できなくなることを防ぐことができる。
【００３１】
ステップＳ３８０において、再生モードが自動再生モードであるか否かを判断し、自動再生モードが選択されているときはステップＳ３９０へ進む。ここで、第１の実施の形態ではモニタ１０１にスキップ画面４５を表示し、スピーカー１０２から出力する音声を消した。しかし、この第２の実施の形態では、モニタ１０１にはすでに走行中規制画面を表示しているため、ステップＳ３９０ではスピーカー１０２から出力する音声の消去のみを行う。
【００３２】
ステップＳ４００〜Ｓ４１０で第１の実施の形態における図３のステップＳ９０〜ステップＳ１００と同様の処理を実行し、続くステップＳ４２０で音声を元に戻す。これにより、第１の実施の形態と同様に、トップメニュー画面４２、およびハイライト画面４３が自動的にスキップされ、メニュー画面上でハイライトされていたメニューボタンに対応するコンテンツが自動再生される。ただし、この場合は所定の車速以上での走行中であり、モニタ１０１には走行中規制画面が表示されているため、使用者に対してはＤＶＤ映像は提供されずスピーカー１０２からＤＶＤの再生音声のみが出力されることになる。
【００３３】
一方、自動再生モードが選択されていないとき、すなわち手動再生モードが選択されているときはステップＳ４３０へ進む。上述した第１の実施の形態では、再生モードが自動再生モードでない場合はモニタ１０１にトップメニュー画面４２、およびハイライト画面４３を表示し、使用者がハイライト画面４３上のボタンを選択する例を示した。しかし、この第２の実施の形態では、自車両が所定の車速以上で走行中の場合はモニタ１０１に走行中規制画面を表示するので、ＤＶＤからトップメニュー画面４２、およびハイライト画面４３が読み出されてもモニタ１０１には表示されない。
【００３４】
この場合、使用者はハイライト画面４３上のメニューボタンを選択することができないため、ＤＶＤに記憶されている再生情報にしたがって再生が継続される。例えば、使用者によってハイライト画面４３上のメニューボタンが選択されるまでハイライト画面４３に止まるように再生情報が定義されている場合には、ハイライト画面４３に止まる。また、ハイライト画面４３を表示してから一定時間使用者による操作がないときはＣＭ映像を再生するように再生情報が定義されている場合には、ＣＭの音声のみの再生を行う。
【００３５】
ステップＳ４４０において、現在ディスクドライブ１０４によって読み込まれているデータが、ＤＶＤのリードアウトエリアに格納されたデータであるか否かを判断する。現在読み込まれているデータがリードアウトエリアに格納されたデータでないと判断した場合は、まだＤＶＤの再生中であるからステップＳ２５０へ戻り、上述した処理を繰り返す。一方、現在読み込まれているデータがリードアウトエリアに格納されたデータであると判断した場合は、ＤＶＤに格納されたデータの終わりまで再生が完了したと判断して処理を終了する。
【００３６】
以上説明したように、第２の実施の形態によれば、第１の実施の形態の作用効果に加えて次のような効果を得ることができる。自車両が走行中の場合はモニタ１０１にＤＶＤ映像を表示せずに走行中規制画面を表示し、さらにこのとき自動再生モードが設定されている場合は、トップメニュー画面４２、およびハイライト画面４３のスキップ中は音声を消すようにした。これにより、走行中規制画面を表示中の場合でもメニュー画面スキップ中の不自然な音楽や音声の切り替わりを防止することができる。
【００３７】
なお、上述した第１および第２の実施の形態では、トップメニュー画面４２、およびハイライト画面４３のスキップ中には、モニタ１０１にスキップ画面４５を表示して現在はメニュー画面のスキップ中であることを使用者に案内するようにしたが、スキップ画面４５を表示しながらスピーカー１０２を介して「現在はメニュー画面のスキップ中です」という音声案内を放送してもよい。
【００３８】
また、上述した第１および第２の実施の形態では、トップメニュー画面４２、およびハイライト画面４３のスキップ中には、モニタ１０１にスキップ画面４５を表示して「メニューをスキップしています。」のように現在はメニュー画面のスキップ中であることを使用者に案内するようにした。しかし、これに代えて「メニューを自動選択しています」のようにメニューの自動選択中であることを使用者に案内するようにしてもよい。また、その他使用者に安心感を与えるメッセージ、例えば「しばらくお待ちください」などを表示して使用者に案内するようにしてもよい。
【００３９】
また、上述した第１および第２の実施の形態では、ＤＶＤを再生した際に表示されるトップメニュー画面の遷移を用いて説明したが、複数のストーリの中から再生したいストーリを分岐となる画面で選択することで、多様なストーリが選択可能となる、いわゆるマルチストーリの分岐画面に本発明を適用しても同様の効果が得られる。
【００４０】
また、上述した第１および第２の実施の形態では、トップメニュー画面４２、およびハイライト画面４３のスキップ中は、スピーカー１０２から出力する音声を消すようにしたが、音声を小さくするようにしてもよい。
【００４１】
上述した第２の実施の形態では、自車両が走行中でモニタ１０１に走行中規制画面が表示されているときはスピーカー１０２からＤＶＤの再生音声のみを出力する例を示したが、自車両が走行している間は映像と音声をともに出力しないようにしてもよい。
【００４２】
また、第２の実施の形態ではＤＶＤ再生装置１００を車両に搭載する例を示したが、船や飛行機など、その他の移動体に搭載してもよい。
【００４３】
特許請求の範囲の構成要素と一実施の形態の構成要素との対応関係は次の通りである。すなわち、ディスクドライブ１０４が情報読出手段を、モニタ１０１が表示手段を、スピーカー１０２が音声出力手段を、操作スイッチ１０３が操作部材を、制御装置１０５が再生制御手段をそれぞれ構成する。なお、本発明の特徴的な機能を損なわない限り、各構成要素は上記構成に限定されるものではない。
【図面の簡単な説明】
【００４４】
【図１】第１の実施の形態におけるＤＶＤ再生装置の一実施の形態の構成を示すブロック図である。
【図２】自動再生モード、および手動再生モードにおけるメニュー画面遷移の具体例を示す図である。
【図３】第１の実施の形態におけるＤＶＤ再生装置１００による処理の流れを示したフローチャート図である。
【図４】第２の実施の形態におけるＤＶＤ再生装置を搭載した車両の一実施の形態の構成を示すブロック図である。
【図５】第２の実施の形態における車両に搭載したＤＶＤ再生装置１００による処理の流れを示したフローチャート図である。
【符号の説明】
【００４５】
１００  ＤＶＤ再生装置
１０１  モニタ
１０２  スピーカー
１０３  操作スイッチ
１０４  ディスクドライブ
１０５  制御装置
１０５ａ  ＣＰＵ
１０５ｂ  メモリ
２０１  車速センサ
【図１】
2005302104.tif 000003
【図２】
2005302104.tif 000004
【図３】
2005302104.tif 000005
【図４】
2005302104.tif 000006
【図５】
2005302104.tif 000007